【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
第１の送信機と受信機との間のフィードバック補償に基づいて、測定システムの伝送路の伝送特性を測定するための方法であって、
前記第１の送信機（Ｈ１）は、第１の伝送路（Ｔ１）の少なくとも一部を通過した後に前記受信機（Ｄ１）によって検出される第１の信号（ｌ４，ｌ１）を前記第１の伝送路に送信するものであり、
補償送信機（Ｋ）は、第２の伝送路を通過した後に前記受信機（Ｄ１）によって検出される第２の信号（ｌ２）を前記第２の伝送路に送信するものであり、
前記第１の信号（ｌ１）と前記第２の信号（ｌ２）が前記受信機（Ｄ１）内で線形的に重畳されて、それから受信機出力信号（Ｓ１）が形成される方法において、
ジェネレータ（Ｇ１）によって供給信号（Ｓ５）を生成するステップであって、前記供給信号（Ｓ５）と前記受信機出力信号（Ｓ１）はそれぞれ、プレヒルベルト空間内にベクトルを形成し、前記供給信号（Ｓ５）は、上方カットオフ周波数ωｍａｘおよび下方カットオフ周波数ωｍｉｎを有する、ゼロと異なる帯域制限された供給信号であり、前記下方カットオフ周波数ωｍｉｎは、前記上方カットオフ周波数ωｍａｘと異なっているステップと、
前記第１の送信機（Ｈ１）に前記供給信号（Ｓ５）を供給するステップと、
前記受信機出力信号（Ｓ１）に前記供給信号（Ｓ５）を乗じることにより、ヒルベルト射影による前記受信機（Ｄ１）の前記受信機出力信号（Ｓ１）から前記供給信号（Ｓ５）への順変換を実行するステップであって、まず検出信号（Ｓ９）を生成して、その後にフィルタ（Ｆ１）を用いてフィルタリングすることによって、前記検出信号から射影画像信号（Ｓ１０）が生成されるステップと、
前記射影画像信号（Ｓ１０）に基づいて出力信号（Ｓ４）を形成するステップであって、前記出力信号（Ｓ４）は、前記第１の伝送路（Ｔ１）の伝送特性に関する情報を含むステップと、
プリ信号（Ｓ６）が形成されるように、前記出力信号（Ｓ４）に前記供給信号（Ｓ５）を乗じることにより、前記供給信号（Ｓ５）を用いて、前記出力信号（Ｓ４）の逆変換を実行するステップと、
前記プリ信号（Ｓ６）から補償信号（Ｓ３）を生成するステップと、
ほぼ一定の受信機出力信号（Ｓ１）が形成されるように、前記受信機出力信号（Ｓ１）のフィードバック制御のために、前記補償送信機（Ｋ）に前記補償信号（Ｓ３）を供給するステップと、を有し、
前記供給信号（Ｓ５）の下方カットオフ周波数ωｍｉｎは、前記供給信号（Ｓ５）の上方カットオフ周波数ωｍａｘの半分よりも大きく、
前記フィルタ（Ｆ１）は、その周波数が、前記供給信号（Ｓ５）の上方カットオフ周波数ωｍａｘと下方カットオフ周波数ωｍｉｎの間の間隔の半分以下である周波数成分のみを通過可能にする線形フィルタであることを特徴とする方法。
【請求項２】
第１の送信機と受信機との間のフィードバック補償に基づいて、測定システムの伝送路の伝送特性を測定するための方法であって、
前記第１の送信機（Ｈ１）は、第１の伝送路（Ｔ１）の少なくとも一部を通過した後に前記受信機（Ｄ１）によって検出される第１の信号（ｌ４，ｌ１）を前記第１の伝送路に送信するものであり、
補償送信機（Ｋ）は、第２の伝送路を通過した後に前記受信機（Ｄ１）によって検出される第２の信号（ｌ２）を前記第２の伝送路に送信するものであり、
前記第１の信号（ｌ１）と前記第２の信号（ｌ２）が前記受信機（Ｄ１）内で線形的に重畳されて、それから受信機出力信号（Ｓ１）が形成される方法において、
ジェネレータ（Ｇ１）によって供給信号（Ｓ５）を生成するステップであって、前記供給信号（Ｓ５）と前記受信機出力信号（Ｓ１）はそれぞれ、プレヒルベルト空間内にベクトルを形成し、前記供給信号（Ｓ５）は、上方カットオフ周波数ωｍａｘおよび下方カットオフ周波数ωｍｉｎを有する、ゼロと異なる帯域制限された供給信号であり、前記下方カットオフ周波数ωｍｉｎは、前記上方カットオフ周波数ωｍａｘと異なっているステップと、
前記第１の送信機（Ｈ１）に前記供給信号（Ｓ５）を供給するステップと、
前記受信機出力信号（Ｓ１）に前記供給信号（Ｓ５）を乗じることにより、ヒルベルト射影による前記受信機（Ｄ１）の前記受信機出力信号（Ｓ１）から前記供給信号（Ｓ５）への順変換を実行するステップであって、まず検出信号（Ｓ９）を生成して、その後にフィルタ（Ｆ１）を用いてフィルタリングすることによって、前記検出信号から射影画像信号（Ｓ１０）が生成されるステップと、
前記射影画像信号（Ｓ１０）に基づいて出力信号（Ｓ４）を形成するステップであって、前記出力信号（Ｓ４）は、前記第１の伝送路（Ｔ１）の伝送特性に関する情報を含むステップと、
プリ信号（Ｓ６）が形成されるように、前記出力信号（Ｓ４）に前記供給信号（Ｓ５）を乗じることにより、前記供給信号（Ｓ５）を用いて、前記出力信号（Ｓ４）の逆変換を実行するステップと、
前記プリ信号（Ｓ６）から補償信号（Ｓ３）を生成するステップと、
ほぼ一定の受信機出力信号（Ｓ１）が形成されるように、前記受信機出力信号（Ｓ１）のフィードバック制御のために、前記補償送信機（Ｋ）に前記補償信号（Ｓ３）を供給するステップと、を有し、
前記供給信号（Ｓ５）は、擬似ランダム信号または拡散符号に基づく信号であることを特徴とする方法。
【請求項３】
第１の送信機と受信機との間のフィードバック補償に基づいて、測定システムの伝送路の伝送特性を測定するための方法であって、
前記第１の送信機（Ｈ１）は、第１の伝送路（Ｔ１）の少なくとも一部を通過した後に前記受信機（Ｄ１）によって検出される第１の信号（ｌ４，ｌ１）を前記第１の伝送路に送信するものであり、
補償送信機（Ｋ）は、第２の伝送路を通過した後に前記受信機（Ｄ１）によって検出される第２の信号（ｌ２）を前記第２の伝送路に送信するものであり、
前記第１の信号（ｌ１）と前記第２の信号（ｌ２）が前記受信機（Ｄ１）内で線形的に重畳されて、それから受信機出力信号（Ｓ１）が形成される方法において、
ジェネレータ（Ｇ１）によって供給信号（Ｓ５）を生成するステップであって、前記供給信号（Ｓ５）と前記受信機出力信号（Ｓ１）はそれぞれ、プレヒルベルト空間内にベクトルを形成し、前記供給信号（Ｓ５）は、上方カットオフ周波数ωｍａｘおよび下方カットオフ周波数ωｍｉｎを有する、ゼロと異なる帯域制限された供給信号であり、前記下方カットオフ周波数ωｍｉｎは、前記上方カットオフ周波数ωｍａｘと異なっているステップと、
前記第１の送信機（Ｈ１）に前記供給信号（Ｓ５）を供給するステップと、
前記受信機出力信号（Ｓ１）に前記供給信号（Ｓ５）を乗じることにより、ヒルベルト射影による前記受信機（Ｄ１）の前記受信機出力信号（Ｓ１）から前記供給信号（Ｓ５）への順変換を実行するステップであって、検出信号（Ｓ９）を生成して、その後にフィルタ（Ｆ１）を用いてフィルタリングすることによって、前記検出信号から射影画像信号（Ｓ１０）が生成されるステップと、
前記射影画像信号（Ｓ１０）に基づいて出力信号（Ｓ４）を形成するステップであって、前記出力信号（Ｓ４）は、前記第１の伝送路（Ｔ１）の伝送特性に関する情報を含むステップと、
プリ信号（Ｓ６）が形成されるように、前記出力信号（Ｓ４）に前記供給信号（Ｓ５）を乗じることにより、前記供給信号（Ｓ５）を用いて、前記出力信号（Ｓ４）の逆変換を実行するステップと、
前記プリ信号（Ｓ６）から補償信号（Ｓ３）を生成するステップと、
ほぼ一定の受信機出力信号（Ｓ１）が形成されるように、前記受信機出力信号（Ｓ１）のフィードバック制御のために、前記補償送信機（Ｋ）に前記補償信号（Ｓ３）を供給するステップと、
前記供給信号（Ｓ５）に直交するベース信号（Ｓ５ｏ）を生成するステップであって、前記直交ベース信号（Ｓ５ｏ）は、時間間隔Δｔだけ前記供給信号（Ｓ５）に先行する信号（Ｓ５ｖ）と、時間間隔Δｔだけ前記供給信号（Ｓ５）に遅れて進む信号（Ｓ５ｄ）との差から、または、前記供給信号（Ｓ５）と、時間間隔Δｔだけ前記供給信号（Ｓ５）に遅れて進む信号（Ｓ５ｄ）との差から形成されるステップと、
前記受信機出力信号（Ｓ１）と前記直交ベース信号（Ｓ５ｏ）とのスカラー積を形成することにより、直交射影画像信号（Ｓ１０ｏ）が生成されるステップと、
増幅器（Ｖ２）によって、前記直交射影画像信号（Ｓ１０ｏ）を出力信号（Ｓ４ｏ）に増幅するステップと、
前記出力信号（Ｓ４ｏ）に前記ベース信号（Ｓ５ｏ）を乗算して直交プリ信号（Ｓ６ｏ）にするステップと、
前記直交プリ信号（Ｓ６ｏ）に、前記供給信号（Ｓ５）への前記出力信号（Ｓ４）の乗算によって形成される前記プリ信号（Ｓ６）を加算するステップであって、前記補償信号（Ｓ３）が、前記プリ信号（Ｓ６）への前記直交プリ信号（Ｓ６ｏ）の加算によって生成されるステップと、を有することを特徴とする方法。
【請求項４】
増幅器（Ｖ１）を用いた、前記射影画像信号（Ｓ１０）の前記出力信号（Ｓ４）への増幅を特徴とする、請求項１から３のいずれか一項に記載の方法。
【請求項５】
バイアス値（Ｂ１）を有する前記プリ信号（Ｓ６）の付加による前記補償信号（Ｓ３）の生成を特徴とする、請求項１から４のいずれか一項に記載の方法。
【請求項６】
バイアス値（Ｂ５）は、前記供給信号（Ｓ５）が前記第１の送信機（Ｈ１）に供給される前に、前記供給信号（Ｓ５）に付加されることを特徴とする、請求項１から５のいずれか一項に記載の方法。
【請求項７】
前記供給信号（Ｓ５）の下方カットオフ周波数ωｍｉｎは、前記供給信号（Ｓ５）の上方カットオフ周波数ωｍａｘの半分よりも大きいことを特徴とする、請求項２から６のいずれか一項に記載の方法。
【請求項８】
前記フィルタ（Ｆ１）は、好ましくは、その周波数が、前記供給信号（Ｓ５）の上方カットオフ周波数ωｍａｘと下方カットオフ周波数ωｍｉｎの間の間隔の半分以下である周波数成分のみを通過可能にする線形フィルタであることを特徴とする、請求項２に記載の方法。
【請求項９】
前記供給信号（Ｓ５）および前記フィルタ（Ｆ１）は、前記フィルタ（Ｆ１）によって、前記供給信号（Ｓ５）によってスカラー倍された干渉信号（ｌ５）をフィルタリングする際に、前記フィルタ（Ｆ１）の前記出力信号（Ｓ１０）が最小になるように選択されることを特徴とする、請求項２又は８に記載の方法。
【請求項１０】
好ましくは、１に等しくなるように設定される既知の特に一定の前記供給信号（Ｓ５）を用いて、前記受信機出力信号（Ｓ１）中の前記干渉信号（ｌ５）を識別する前記フィルタ（Ｆ１）の測定を特徴とする、請求項１，２，８及び９のいずれか一項に記載の方法。
【請求項１１】
前記供給信号（Ｓ５）に直交するベース信号（Ｓ５ｏ）が形成され、前記直交ベース信号（Ｓ５ｏ）は、時間間隔Δｔだけ前記供給信号（Ｓ５）に先行する信号（Ｓ５ｖ）と、時間間隔Δｔだけ前記供給信号（Ｓ５）に遅れて進む信号（Ｓ５ｄ）との差から、または、前記供給信号（Ｓ５）と、時間間隔Δｔだけ前記供給信号（Ｓ５）に遅れて進む信号（Ｓ５ｄ）との差から形成されることを特徴とする、請求項１，２、及び、８から１０のいずれか一項に記載の方法。
【請求項１２】
追加的なステップ、すなわち、
前記供給信号（Ｓ５）に直交するベース信号（Ｓ５ｏ）を生成するステップと、
前記受信機出力信号（Ｓ１）と前記直交ベース信号（Ｓ５ｏ）のスカラー積を形成することにより、直交射影画像信号（Ｓ１０ｏ）が生成されるステップと、
必要に応じて、増幅器（Ｖ２）によって、前記直交射影画像信号（Ｓ１０ｏ）を出力信号（Ｓ４ｏ）に増幅するステップと、
前記直交射影画像信号（Ｓ１０ｏ）に基づく前記出力信号（Ｓ４ｏ）に前記ベース信号（Ｓ５ｏ）を乗算して直交プリ信号（Ｓ６ｏ）にするステップと、
前記直交プリ信号（Ｓ６ｏ）に、前記供給信号（Ｓ５）への前記出力信号（Ｓ４）の乗算によって形成される前記プリ信号（Ｓ６）を加算するステップであって、前記補償信号（Ｓ３）が、前記プリ信号（Ｓ６）への前記直交プリ信号（Ｓ６ｏ）と、必要に応じてバイアス値（Ｂ１）の加算によって生成されるステップと、
を特徴とする、請求項１又は２に記載の方法。
【請求項１３】
前記スカラー積は、
直交検出信号（Ｓ９ｏ）が形成されるように、前記受信機出力信号（Ｓ１）と前記直交ベース信号（Ｓ５ｏ）を乗算することにより、
フィルタ（Ｆ２）によって前記直交検出信号（Ｓ９ｏ）をフィルタリングすることにより、
前記受信機出力信号（Ｓ１）および前記直交ベース信号（Ｓ５ｏ）から形成されることを特徴とする、請求項３又は１２に記載の方法。
【請求項１４】
以下のステップ、すなわち、
第１の期間Δｔ１だけ前記供給信号（Ｓ５）に遅れて進むパルス（Ｓ５ｄ１）と、第２の期間Δｔ２だけ遅れて進むパルス（Ｓ５ｄ２）と、第３の期間Δｔ３だけ遅れて進むパルス（Ｓ５ｄ３）とを形成するステップであって、ここで前記期間Δｔ２は前記期間Δｔ１超、前記期間Δｔ３は前記期間Δｔ２以上であるステップと、
前記供給信号（Ｓ５）からベース信号（Ｓ５ｏ１）を形成するステップと、
前記ベース信号（Ｓ５ｏ１）に直交するベース信号（Ｓ５ｏ２）を形成するステップであって、この場合、特に、
ａ．前記直交ベース信号（Ｓ５ｏ１）を、前記信号（Ｓ５ｄ１）と前記信号（Ｓ５ｄ２）の差として形成することができ、および／または
ｂ．前記直交ベース信号（Ｓ５ｏ２）を前記直交ベース信号（Ｓ５ｄ３）と同一にすることができ、および／または
ｃ．時間間隔を、Δｔ１＝０にすることができ、および／または
ｄ．時間間隔Δｔ２およびΔｔ３を等しくすることができるステップと、
前記直交ベース信号（Ｓ５ｏ１）を直交プリ信号（Ｓ６ｏ１）にさらに処理するステップと、
前記直交ベース信号（Ｓ５ｏ２）を直交プリ信号（Ｓ６ｏ２）にさらに処理するステップと、
前記プリ信号（Ｓ，Ｓ６ｏ１，Ｓ６ｏ２）から、特に加算することにより、前記補償送信機（Ｋ）に送信される前記補償信号（Ｓ３）を形成するステップと
を特徴とする、請求項１から１３のいずれか一項に記載の方法。
【請求項１５】
いくつかの直交ベース信号（Ｓ５ｏｉ）を生成するステップと、
いくつかの直交プリ信号（Ｓ６ｏｉ）を生成するステップと、
少なくとも１つの直交プリ信号（Ｓ６ｏｉ）を、前記プリ信号（Ｓ６）および任意の前記バイアス値（Ｂ１）に加算するステップと、をさらに有し、
いくつかの増幅器（Ｖ２）が好ましくは用いられることと、
を特徴とする、請求項３及び１２から１４のいずれか一項に記載の方法。
【請求項１６】
前記供給信号（Ｓ５）に直交する前記ベース信号（Ｓ５ｏ）のうちの少なくとも２つが互いに直交することを特徴とする請求項１５に記載の方法。
【請求項１７】
追加的なステップ、すなわち、
さらに処理された前記受信機出力信号（Ｓ１）を、前記直交出力信号（Ｓ４ｏ）に応じて遅延させるステップであって、前記受信機出力信号（Ｓ１）の前記補償信号（Ｓ３）へのさらなる処理チェーンにおける遅延が、以下の信号の少なくとも一方の遅延、すなわち、
１．逆変換に用いられる前記供給信号（Ｓ５）の遅延、および／または、
２．前記逆変換中の前記プリ信号（Ｓ６）の遅延
に応じて行われるステップと、
非遅延信号の代わりに、それぞれの遅延信号をさらに処理するステップと、
を特徴とする、請求項３又は１２に記載の方法。
【請求項１８】
少なくとも１つの前記第１の送信機（Ｈ１）は、前記供給信号（Ｓ５）によって直接的に制御されないが、少なくとも１つの作動位置においては、前記供給信号（Ｓ５）に対して遅延されている信号（Ｓ５ｄｘ）によって制御され得ることを特徴とする、請求項１から１７のいずれか一項に記載の方法。
【請求項１９】
追加的なステップ、すなわち、
前記出力信号（Ｓ４ｏ）に応じた前記供給信号（Ｓ５）の遅延によって、前記供給信号（Ｓ５）に対して遅延制御される供給信号（Ｓ５ｄｘ）を生成するステップと、
前記第１の送信機（Ｈ１）に、前記遅延された供給信号（Ｓ５ｄｘ）を供給するステップと、
を特徴とする、請求項３又は１２に記載の方法。
【請求項２０】
前記供給信号（Ｓ５）は、クロック化され（または単一周波数であり）、前記遅延された供給信号（Ｓ５ｄｘ）の形成は、位相シフトによって前記供給信号（Ｓ５）を遅延させることによって実現されることを特徴とする、請求項１８または１９に記載の方法。
【請求項２１】
前記供給信号（Ｓ５）は、乱数発生器または擬似乱数発生器によって生成され、前記擬似乱数発生器は、好ましくは、フィードバックシフトレジスタを備え、前記供給信号（Ｓ５）は、好ましくは、単純な原始生成多項式から形成されることを特徴とする、請求項１から２０のいずれか一項に記載の方法。
【請求項２２】
各々が、前記供給信号（Ｓ５）に対して時間間隔Δｔだけシフトされている、いくつかの信号、好ましくは、遅れて進む信号の生成によって、前記第１の伝送路（Ｔ１）内に配置されている物体（Ｏ）を検出することができることを特徴とする、請求項１から２１のいずれか一項に記載の方法。
【請求項２３】
前記出力信号（Ｓ４）および／または前記直交出力信号（Ｓ４ｏ）は、処理され、または測定値として出力されることを特徴とする、請求項１から２２のいずれか一項に記載の方法。
【請求項２４】
前記方法の少なくとも一部は、好ましくは、マイクロコンピュータまたは信号プロセッサまたはアナログコンピュータ上のＦＳＭ（有限状態機械）を用いて、ＨＭＭ（隠れマルコフモデル）またはペトリネット、または、神経回路網にてディジタル形式で実行されることを特徴とする、請求項１から２３のいずれか一項に記載の方法。
【請求項２５】
第１の送信機（Ｈ１）と、補償送信機（Ｋ）と、受信機（Ｄ１）とを備える、前記第１の送信機（Ｈ１）と前記受信機（Ｄ１）との間の伝送路の伝送特性を測定するためのセンサシステムであって、
前記第１の送信機（Ｈ１）には、ジェネレータ（Ｇ１）の供給信号（Ｓ５）が供給され、且つ、前記第１の送信機（Ｈ１）は、第１の伝送路（Ｔ１）の少なくとも一部の通過後に前記受信機（Ｄ１）によって検出される第１の信号を前記第１の伝送路（Ｔ１）上に送信するように設計および設定され、
前記補償送信機（Ｋ）は、第２の伝送路の通過後に前記受信機（Ｄ１）によって検出される前記第２の信号（ｌ２）を前記第２の伝送路上に送信するように設計および設定され、
前記受信機（Ｄ１）は、前記第１の信号（ｌ１）と前記第２の信号（ｌ２）を線形的に重畳するように、およびそれから受信機出力信号（Ｓ１）を形成するように設計および設定され、
前記供給信号（Ｓ５）は、帯域制限され、ゼロとは異なるものであるとともに、上方カットオフ周波数ωｍａｘと、それとは異なる下方カットオフ周波数ωｍｉｎとを有し、
前記供給信号（Ｓ５）と前記受信機出力信号（Ｓ１）は、それぞれ、プレヒルベルト空間内にベクトルを形成するセンサシステムであって、
前記受信機出力信号（Ｓ１）の前記供給信号（Ｓ５）への乗算と後のフィルタ（Ｆ１）を用いたフィルタリングとにより、前記受信機（Ｄ１）の前記受信機出力信号（Ｓ１）の前記供給信号（Ｓ５）上へのヒルベルト射影によって順変換を実行するように設計および設定され、まず検出信号（Ｓ９）が生成されて検出信号（Ｓ９）のフィルタリングにより射影画像信号（Ｓ１０）が生成される処理ユニット（ＰＵ）と、
前記射影画像信号（Ｓ１０）を増幅して、前記出力信号（Ｓ４）を形成するように設計および設定される増幅器（Ｖ１）と、
を備え、
前記供給信号（Ｓ５）の下方カットオフ周波数ωｍｉｎは、前記供給信号（Ｓ５）の上方カットオフ周波数ωｍａｘの半分よりも大きく、
前記フィルタ（Ｆ１）は、好ましくは、その周波数が、前記供給信号（Ｓ５）の上方カットオフ周波数ωｍａｘと下方カットオフ周波数ωｍｉｎの間の間隔の半分以下である周波数成分のみを通過可能にする線形フィルタであり、
前記出力信号（Ｓ４）に前記供給信号（Ｓ５）を乗じることにより、前記供給信号（Ｓ５）を用いた前記出力信号（Ｓ４）の逆変換が前記処理ユニット（ＰＵ）内で行われ、且つ、さらに処理されて補償信号（Ｓ３）になるプリ信号（Ｓ６）が形成され、ほぼ一定の受信機出力信号（Ｓ１）が形成されるように、前記受信機出力信号（Ｓ１）のフィードバック制御のために、前記補償信号（Ｓ３）が前記補償送信機（Ｋ）に供給されるセンサシステム。
【請求項２６】
第１の送信機（Ｈ１）と、補償送信機（Ｋ）と、受信機（Ｄ１）とを備える、前記第１の送信機（Ｈ１）と前記受信機（Ｄ１）との間の伝送路の伝送特性を測定するためのセンサシステムであって、
前記第１の送信機（Ｈ１）には、ジェネレータ（Ｇ１）の供給信号（Ｓ５）が供給され、且つ、前記第１の送信機（Ｈ１）は、第１の伝送路（Ｔ１）の少なくとも一部の通過後に前記受信機（Ｄ１）によって検出される第１の信号を前記第１の伝送路（Ｔ１）上に送信するように設計および設定され、
前記補償送信機（Ｋ）は、第２の伝送路の通過後に前記受信機（Ｄ１）によって検出される前記第２の信号（ｌ２）を前記第２の伝送路上に送信するように設計および設定され、
前記受信機（Ｄ１）は、前記第１の信号（ｌ１）と前記第２の信号（ｌ２）を線形的に重畳するように、およびそれから受信機出力信号（Ｓ１）を形成するように設計および設定され、
前記供給信号（Ｓ５）は、帯域制限され、ゼロとは異なるものであるとともに、上方カットオフ周波数ωｍａｘと、それとは異なる下方カットオフ周波数ωｍｉｎとを有し、
前記供給信号（Ｓ５）と前記受信機出力信号（Ｓ１）は、それぞれ、プレヒルベルト空間内にベクトルを形成するセンサシステムであって、
前記受信機出力信号（Ｓ１）の前記供給信号（Ｓ５）への乗算と後のフィルタ（Ｆ１）を用いたフィルタリングとにより、前記受信機（Ｄ１）の前記受信機出力信号（Ｓ１）の前記供給信号（Ｓ５）上へのヒルベルト射影によって順変換を実行するように設計および設定され、まず検出信号（Ｓ９）が生成されて検出信号（Ｓ９）のフィルタリングにより射影画像信号（Ｓ１０）が生成される処理ユニット（ＰＵ）と、
前記射影画像信号（Ｓ１０）を増幅して、前記出力信号（Ｓ４）を形成するように設計および設定される増幅器（Ｖ１）と、
を備え、
前記供給信号（Ｓ５）は、擬似ランダム信号または拡散符号に基づく信号であり、
前記出力信号（Ｓ４）に前記供給信号（Ｓ５）を乗じることにより、前記供給信号（Ｓ５）を用いた前記出力信号（Ｓ４）の逆変換が前記処理ユニット（ＰＵ）内で行われ、且つ、さらに処理されて補償信号（Ｓ３）になるプリ信号（Ｓ６）が形成され、ほぼ一定の受信機出力信号（Ｓ１）が形成されるように、前記受信機出力信号（Ｓ１）のフィードバック制御のために、前記補償信号（Ｓ３）が前記補償送信機（Ｋ）に供給されるセンサシステム。
【請求項２７】
複数のジェネレータ（Ｇｉ）が複数の供給信号（Ｓ５ｉ）を生成し、
複数の第１の送信機（Ｈｉ）の各々に供給信号（Ｓ５ｉ）が供給され、
前記送信機（Ｈｉ）のうちの１つのそれぞれの送信信号（ｌ４ｉ）が、それを介して前記受信機（Ｄ１）へ送信される、複数の伝送路が存在し、
前記第１の送信機（Ｈｉ）の第１の信号（ｌ４ｉ）は、前記受信機（Ｄ１）において、前記補償送信機（Ｋ）の前記第２の信号（ｌ２）に重ね合わされて前記受信機出力信号（Ｓ１）になり、
各前記第１の送信機（Ｈｉ）の各前記第１の供給信号（Ｓ５ｉ）に対して、前記補償信号（Ｓ３）がそれから形成される前記処理ユニットで、プリ信号（Ｓ６ｉ）が生成される、
ことを特徴とする、請求項２５または２６に記載のセンサシステム。
【請求項２８】
前記センサシステムは、いくつかの受信機（Ｄｉ）と、いくつかの補償送信機（Ｋｉ）とを備え、前記補償送信機（Ｋｉ）は、前記受信機（Ｄｉ）の各々と関連付けられ、
前記第１の送信機（Ｈ１）の前記送信信号がそれを介してそれぞれの受信機（Ｄｉ）へ送信される複数の伝送路が形成され、
前記第１の送信機（Ｈ１）の前記第１の信号（ｌ４）は、前記受信機（Ｄｉ）の各々において、補償送信機（Ｋｉ）のそれぞれの第２の信号（ｌ２ｉ）と重ね合わされて受信機出力信号（Ｓ１ｉ）になり、
各送信機（Ｈ２ｉ）に対して、前記処理ユニットにおいて、それぞれの前記補償送信機（Ｋｉ）に供給される、前記受信機（Ｄｉ）の前記出力信号のフィードバック補償のための補償信号（Ｓ３ｉ）が生成される、
ことを特徴とする、請求項２５から２７のいずれか一項に記載のセンサシステム。
【請求項２９】
前記センサシステムは、いくつかの受信機（Ｄｉ）と、少なくとも１つの、好ましくはいくつかの補償送信機（Ｋｉ）とを備え、補償送信機（Ｋｉ）は、少なくとも２つの受信機（Ｄｉ）に共通して関連付けられ、
前記第１の送信機（Ｈ１）の送信信号が、それを介してそれぞれの受信機（Ｄｉ）へ送信される複数の伝送路（Ｔ１ｉ）が形成され、
前記第１の送信機（Ｈ１）の前記第１の信号（ｌ４）は、各受信機（Ｄｉ）において、補償送信機（Ｋｉ）のそれぞれの第２の信号（ｌ２ｉ）と重ね合わされて受信機出力信号（Ｓ１ｉ）になり、
それぞれの前記補償送信機（Ｋｉ）に供給される、前記受信機（Ｄｉ）の出力信号のフィードバック補償のための補償信号（Ｓ３ｉ）が、前記処理ユニットにおいて、各前記補償送信機（Ｋｉ）のために生成され、および
前記補償信号（Ｓ３ｉ）は、少なくとも１つの第２の補償送信機（Ｋｉ）を共用する前記受信機（Ｄｉ）の前記信号（Ｓ１ｉ）の処理ユニット間で、時分割多重化法でそれぞれ前後にスイッチングすることによって形成され、時分割多重化の結果として補償信号（Ｓ３ｉ）に断続的に寄与しない前記処理ユニットは、それらの内部状態および出力応答が、これらの時間中に変化しないように接続され、時分割多重化の結果として補償信号（Ｓ３ｉ）に断続的に寄与する前記処理ユニットは、その寄与の持続期間、時分割多重化が行われていないかのように機能することを特徴とする、請求項２５から２８のいずれか一項に記載のセンサシステム。
【請求項３０】
第１の送信機（Ｈ１）と受信機（Ｄ１）との間での信号伝送は、電子的に、容量的に、誘導的に、電磁的に、電流の伝送、電圧の伝送を介して、電気的または熱的出力の伝送を介して、音響的に、流体的に、空気圧的に、油圧的に、または、移動媒体、具体的には、水および油の、または固定の物理的特性または化学的特性を変えることによって行われることを特徴とする、請求項２５から２９のいずれか一項に記載のセンサシステム。
【請求項３１】
前記伝送路（Ｔ１）の特性に関する、または、前記伝送路（Ｔ１）内の物体（Ｏ）また
は媒体に関する以下の変数、すなわち、
屈折率、
物体の密度、
物体のサイズ、
物体の距離、
物体の組成、
空間内での物体の位置、
物体の方向、
透明性または透過率（特に、スペクトルまたは色依存の）、
減衰または吸収（特に、スペクトルまたは色依存の）、
反射性または反射率（特に、スペクトルまたは色依存の）、
位相遅延（特に、スペクトルまたは色依存の）、
核スピン相互作用（特に、共鳴）、
浸透性、
誘電率、
導電率、抵抗または抵抗分布、及び、
速度分布、
のうちの少なくとも１つが検出されることを特徴とする、請求項２５から３０のいずれか一項に記載のセンサシステム。